【手続補正書】
【提出日】平成17年4月25日(2005.4.25)
【手続補正１】
【補正対象書類名】明細書
【補正対象項目名】特許請求の範囲
【補正方法】変更
【補正の内容】
【特許請求の範囲】
【請求項１】
コンピュータが実行するデジタル信号の保護を容易にする方法であって、
元の、マークが付けられていないデジタル信号の振幅を正規化するステップと、
当該正規化された信号を変換するステップと、
正規化された信号の変換をセグメントに分割するステップと、
１つまたは複数のセグメントについて、セグメントを表すセグメントの統計量を計算するステップと、
前記１つまたは複数のセグメントについて、セグメントの前記統計量を量子化するステップと、
前記１つまたは複数のセグメントの量子化された統計量の組み合わせ、または該組み合わせの近似を表す、デルタシーケンスを生成するステップと、
前記デジタル信号を前記デルタシーケンスでマーク付けするステップと
を備えたことを特徴とする方法。
【請求項２】
前記分割するステップは、正規化された信号の変換を疑似ランダムにセグメント化するステップを含むことを特徴とする請求項１に記載の方法。
【請求項３】
前記分割するステップは、正規化された信号の変換を疑似ランダムにセグメント化するステップを含み、セグメントが隣接し非連続であることを特徴とする請求項１に記載の方法。
【請求項４】
コンピュータによって実行したときに請求項１に記載の方法を実行するコンピュータ実行可能命令を有することを特徴とするコンピュータ読み取り可能な記録媒体。
【請求項５】
コンピュータによって実行したときに請求項１に記載の方法を実行するコンピュータ実行可能命令を有する１つまたは複数のコンピュータ読み取り可能な記録媒体を備えたことを特徴とするコンピュータ。
【請求項６】
コンピュータが実行するデジタル信号の保護を容易にする方法であって、
対象のデジタル信号の振幅を正規化するステップと、
正規化された信号を変換するステップと、
正規化された信号の変換をセグメントに分割するステップと、
１つまたは複数のセグメントについて、セグメントを表すセグメントの統計量を計算するステップと、
前記１つまたは複数のセグメントについて、セグメントの量子化された値を生成するためにセグメントの前記統計量を量子化するステップと、
前記１つまたは複数のセグメントについて、セグメントの前記統計量と該セグメントの量子化された値との距離を測定するステップと、
前記１つまたは複数のセグメントの量子化された値に基づいて前記デジタル信号内に透かしが存在知るかどうかを判定するステップと
を備えたことを特徴とする方法。
【請求項７】
前記測定するステップの測定距離に基づき信頼度の指示を判定するステップと、
信頼度の指示を示すステップと
をさらに備えたことを特徴とする請求項６に記載の方法。
【請求項８】
透かしが存在するかどうかを示すステップをさらに備えたことを特徴とする請求項６に記載の方法。
【請求項９】
透かしが存在するかどうかを示すステップをさらに備え、そのような指示が「存在する」、「存在しない」、および「不明」からなるグループから選択されることを特徴とする請求項６に記載の方法。
【請求項１０】
前記分割するステップは、正規化された信号の変換を疑似ランダムにセグメント化するステップを含むことを特徴とする請求項６に記載の方法。
【請求項１１】
前記分割するステップは、正規化された信号の変換を疑似ランダムにセグメント化するステップを含み、セグメントが隣接し非連続であることを特徴とする請求項６に記載の方法。
【請求項１２】
コンピュータによって実行したときに請求項６に記載の方法を実行するコンピュータ実行可能命令を有することを特徴とするコンピュータ読み取り可能な記録媒体。
【請求項１３】
コンピュータによって実行したときに請求項６に記載の方法を実行するコンピュータ実行可能命令を有する１つまたは複数のコンピュータ読み取り可能な記録媒体を備えたことを特徴とするコンピュータ。
【請求項１４】
コンピュータが実行するデジタル信号の保護を容易にする方法であって、
デジタル信号をセグメントに分割するステップと、
１つまたは複数のセグメントについて、セグメントを表すセグメントの統計量を計算するステップと、
前記１つまたは複数のセグメントについて、セグメントの前記統計量を量子化するステップと、
前記デジタル信号と、前記１つまたは複数のセグメントの量子化された統計量の組み合わせとの、組み合わせに近似的に相当するマーク付けされた信号を生成するステップと
を備えたことを特徴とする方法。
【請求項１５】
デジタル信号の振幅を正規化するステップをさらに備え、該信号は元のマークが付けられていない信号であることを特徴とする請求項１４に記載の方法。
【請求項１６】
前記分割するステップは、前記信号を疑似ランダムにセグメント化するステップを含むことを特徴とする請求項１４に記載の方法。
【請求項１７】
前記分割するステップは、前記信号を疑似ランダムにセグメント化するステップを含み、セグメントが隣接し非連続であることを特徴とする請求項１４に記載の方法。
【請求項１８】
前記１つまたは複数のセグメントの量子化された統計量の組み合わせを表すデルタシーケンスを判定するステップをさらに備えたことを特徴とする請求項１４に記載の方法。
【請求項１９】
前記デジタル信号と組み合わせたときに前記デジタル信号と前記１つまたは複数のセグメントの量子化された統計量との組み合わせを近似する、疑似ランダムデルタシーケンスを判定するステップをさらに備えたことを特徴とする請求項１４に記載の方法。
【請求項２０】
コンピュータによって実行したときに請求項１４に記載の方法を実行するコンピュータ実行可能命令を有することを特徴とするコンピュータ読み取り可能な記録媒体。
【請求項２１】
前記コンピュータによって実行したときに請求項１４に記載の方法を実行するコンピュータ実行可能命令を有する１つまたは複数のコンピュータ読み取り可能な記録媒体を備えたことを特徴とするコンピュータ。
【請求項２２】
コンピュータが実行するデジタル信号の保護を容易にする方法であって、
対象のデジタル信号をセグメントに分割するステップと、
１つまたは複数のセグメントについて、セグメントを表すセグメントの統計量を計算するステップと、
前記１つまたは複数のセグメントについて、セグメントの量子化された値を生成するためにセグメントの前記統計量を量子化するステップと、
前記１つまたは複数のセグメントの量子化された値に基づいて前記デジタル信号内に透かしが存在するかどうかを判定するステップと
を備えたことを特徴とする方法。
【請求項２３】
前記対象のデジタル信号の振幅を正規化するステップと、
当該正規化された信号を変換するステップと
をさらに備えたことを特徴とする請求項２２に記載の方法。
【請求項２４】
１つまたは複数のセグメントについて、セグメントの統計量と該セグメントの量子化された値との距離を測定するステップと、
該測定するステップの測定距離に基づき信頼度の指示を判定するステップと、
信頼度の指示を示すステップと
をさらに備えたことを特徴とする請求項２２に記載の方法。
【請求項２５】
透かしが存在するかどうかを示すステップをさらに備えたことを特徴とする請求項２２に記載の方法。
【請求項２６】
透かしが存在するかどうかを示すステップをさらに備え、そのような指示が「存在する」、「存在しない」、および「不明」からなるグループから選択されることを特徴とする請求項２２に記載の方法。
【請求項２７】
前記分割するステップは、前記信号を疑似ランダムにセグメント化するステップを含むことを特徴とする請求項２２に記載の方法。
【請求項２８】
前記分割するステップは、前記信号を疑似ランダムにセグメント化するステップを含み、セグメントが隣接し非連続であることを特徴とする請求項２２に記載の方法。
【請求項２９】
コンピュータによって実行したときに請求項２２に記載の方法を実行するコンピュータ実行可能命令を有することを特徴とするコンピュータ読み取り可能な記録媒体。
【請求項３０】
コンピュータによって実行したときに請求項２２に記載の方法を実行するコンピュータ実行可能命令を有する１つまたは複数のコンピュータ読み取り可能な記録媒体を備えたことを特徴とするコンピュータ。
【請求項３１】
コンピュータが実行するデジタル信号の保護を容易にする方法であって、
デジタル信号を取得するステップと、
透かしを取得するステップと、
量子化インデックス変調（ＱＩＭ）を使用し、前記透かしで前記信号に透かしを入れるステップであって、そのようなＱＩＭが前記信号の非局所的特性に基づくステップと
を備えたことを特徴とする方法。
【請求項３２】
前記非局所的特性は、前記信号の疑似ランダムにサイズが設定された１つまたは複数のセグメントを表す統計量を含むことを特徴とする請求項３１に記載の方法。
【請求項３３】
前記非局所的特性は、前記信号の疑似ランダムに次元が設定された１つまたは複数のセグメントを表す統計量を含むことを特徴とする請求項３１に記載の方法。
【請求項３４】
前記非局所的特性は、前記信号の疑似ランダムに次元が設定された１つまたは複数のセグメントを表す統計量を含み、そのようなセグメントが隣接し、非連続であることを特徴とする請求項３１に記載の方法。
【請求項３５】
コンピュータによって実行したときに請求項３１に記載の方法を実行するコンピュータ実行可能命令を有することを特徴とするコンピュータ読み取り可能な記録媒体。
【請求項３６】
コンピュータによって実行したときに請求項３１に記載の方法を実行するコンピュータ実行可能命令を有する１つまたは複数のコンピュータ読み取り可能な記録媒体を備えたことを特徴とするコンピュータ。
【請求項３７】
コンピュータが実行するデジタル信号の保護を容易にする方法であって、
デジタル信号を取得するステップと、
量子化インデックス変調（ＱＩＭ）を使用し、前記信号に透かしが含まれるかどうかを検出するステップであって、そのようなＱＩＭが前記信号の非局所的特性に基づくステップと
を備えたことを特徴とする方法。
【請求項３８】
前記非局所的特性は、前記信号の疑似ランダムにサイズが設定された１つまたは複数のセグメントを表す統計量を含むことを特徴とする請求項３７に記載の方法。
【請求項３９】
前記非局所的特性は、前記信号の疑似ランダムに次元が設定された１つまたは複数のセグメントを表す統計量を含むことを特徴とする請求項３７に記載の方法。
【請求項４０】
前記非局所的特性は、前記信号の疑似ランダムに次元が設定された１つまたは複数のセグメントを表す統計量を含み、セグメントが隣接し、非連続であることを特徴とする請求項３７に記載の方法。
【請求項４１】
コンピュータによって実行したときに請求項３７に記載の方法を実行するコンピュータ実行可能命令を有することを特徴とするコンピュータ読み取り可能な記録媒体。
【請求項４２】
前記コンピュータによって実行したときに請求項３７に記載の方法を実行するコンピュータ実行可能命令を有する１つまたは複数のコンピュータ読み取り可能な記録媒体を備えたことを特徴とするコンピュータ。
【請求項４３】
デジタル信号の保護を容易にするシステムであって、
デジタル信号をセグメント化するように構成されたパーティショナと、
セグメントを表すセグメントの統計量を計算するように構成されているセグメント統計量計算機と、
セグメントの統計量を量子化するように構成されているセグメント量子化器と、
前記デジタル信号と、１つまたは複数のセグメントの量子化された統計量の組み合わせとの、組み合わせに近似的に相当するマーク付けされた信号を生成するように構成された信号マーカと
を備えたことを特徴とするシステム。
【請求項４４】
前記パーティショナはさらに、前記信号を疑似ランダムにセグメント化するように構成されていることを特徴とする請求項４３に記載のシステム。
【請求項４５】
前記パーティショナはさらに前記信号を疑似ランダムにセグメント化するように構成され、そのようなセグメントが隣接し非連続であることを特徴とする請求項４３に記載のシステム。
【請求項４６】
コンピュータによって実行したときに
デジタル信号を取得するステップと、
透かしを取得するステップと、
量子化インデックス変調（ＱＩＭ）を使用し、前記透かしで前記信号に透かしを入れるステップであって、そのようなＱＩＭは前記信号の非局所的特性に基づき、該非局所的特性は信号の複数の要素の特性を表すステップ
とを含む方法を実行するコンピュータ実行可能命令を備えたことを特徴とするコンピュータ読み取り可能な記録媒体。
【請求項４７】
コンピュータによって実行したときに
デジタル信号を取得するステップと、
量子化インデックス変調（ＱＩＭ）を使用し、前記信号に透かしが含まれるかどうかを検出するステップであって、そのようなＱＩＭは前記信号の非局所的特性に基づき、該非局所的特性は信号の複数の要素の特性を表すステップと
を含む方法を実行するコンピュータ実行可能命令を備えたことを特徴とするコンピュータ読み取り可能な記録媒体。